(57)【特許請求の範囲】
【請求項１】
角度操作用部材や締め付け操作用部材その他の操作用部材を有さない円盤状の底板と、
この底板の上面略中央が略球面凸状に盛り上がった第１支承球面部と、
角度操作用部材や締め付け操作用部材その他の操作用部材を有さないかつ、前記底板と当接するように傾斜させることができる略円形平板状の天板と、
この天板の下面略中央が略球面凹状に形成された該天板の下面側に突出することのない第２支承球面部と、
前記第１支承球面部の裏面に配置されかつ、前記第１支承球面部に沿って対応する球面状に形成された半球形状の締付部材と、
前記天板と前記締付部材とを連結する前記略球面凹状に形成された第２支承球面部の中心を通る連結部材と、
を有した片足を載せて使用するゴルフ練習具であって、
前記第１支承球面部の凸形状と前記第２支承球面部の凹形状とは、整合し互いに重なり合う形状に形成されており、これらが摺動可能に当接するとともに、前記連結部材を締め付けたときに、前記締付部材が前記第１支承球面部に当接しかつ、前記第１支承球面部と前記第２支承球面部とが当接することにより、これら部材が３重に重なり合った連結面部を成した状態で互いに締め付けられて３重重ね状に密着し、前記天板が任意の方向に傾斜角度をもって固定される、
ことを特徴とするゴルフ練習具。
【請求項２】
第１支承球面部、第２支承球面部及び締付部材のうち、互いに当接する少なくともひとつの当接面部が凹凸状に形成されており、連結部材を締め付けた際に、これら両当接面部が嵌合係止することを特徴とする請求項１に記載のゴルフ練習具。
【請求項３】
第１支承球面部、第２支承球面部及び締付部材のうち、当接面部の一方に突起体が設けられ、他方に嵌合孔が設けられており、連結部材を締め付けた際に、これら突起体と嵌合孔とが嵌合係止することを特徴とする請求項１又は２に記載のゴルフ練習具。
【請求項４】
連結部材が、略円形の天板の中心軸外に設けられていることを特徴とする、請求項１から３のいずれかに記載のゴルフ練習具。
【発明の詳細な説明】
【０００１】
【発明の属する分野】
本発明はゴルフ場におけるコースの如何なる起伏条件にも対応して常に高スコアを出せるように練習するためのゴルフ練習具に係るものである。また、ゴルフスウィングの練習のみならず、ストレッチングボードとしても利用することができる。
【０００２】
【従来の技術】
ほとんどのゴルファーはゴルフコースではなくゴルフ練習場で数多くのボールを打って練習している。練習場では、水平面にボールを置き且つスタンスをとって練習しているために、平坦なコースでのショットには比較的慣れるが、実際のコースにおいて不特定多数の斜面に遭遇したときには、実際の傾斜面での練習を行っていないから巧く打つことができない。
【０００３】
一般的に、ゴルフコースにおいては技術に応じたプレーができるように、バンカーや池などの他、傾斜や凸凹のアンジュレーションが設計されており、ティーグランドを除いて地面が前上がり、前下がり、左上がり、左下がり、右上がり、右下がり等々様々な地形となっており、平坦な場所でショットできる場合は数少ないのが現状である。
【０００４】
従って、練習場での練習のみでは、前記様々な地形に対応した練習をすることはできず、起伏のあるゴルフコースにおいて高スコアを望むことはできないという問題がある。
【０００５】
そこで、今日までにも、前述のごとき起伏条件においても高スコアが出せるよう、斜面を想定した練習をさせる数多くのゴルフ練習具が発明されてきた。
【０００６】
実開昭４８−９７０６２号公報にて開示されている「ゴルフ練習台」は、支持棒および立脚台とから構成されている。支持棒の下方は球面体となっており、球面体の下方には押圧子が、その下方にはカムが設けられており、カムに取り付けられたハンドルによって球面体を任意の方向に動かして立脚台の傾きを調整させるというものである。しかしながら、この「ゴルフ練習台」は、長形の支持棒、球面体、押圧子、カムという多くの中間部材を使用しているため、地面から立脚台までがかなりの高さとなり、プレーヤーが立脚台に乗った場合、安全性の面で問題となる。また、この「ゴルフ練習台」ではボールが置かれる地面からプレーヤーまでの距離が長いために練習できるスイングのバリエーションが限られる。
【０００７】
特開平４−１１７９７１号公報にて開示されている「ゴルフ練習機における打席板傾動装置」は、地面から比較的近い位置で多様な傾斜面を提供でき、安全面でも優れており、実際のゴルフコースに近い状態を再現させる練習装置である。しかしながら、構造が複雑であり、高額とならざるを得ない。また、装置全体が大掛かりで場所をとるため、一般家庭での使用には適していない。
【０００８】
実開昭５９−１２４５６８号公報にて開示されている「傾斜可変式ゴルフ練習台」は、半球体凹面状の台座に半球体凸面状のプレー台を載せた構造であり、両者をボルトで構成される組立部材によって連結させたものである。ボルト頭部は半球体凹面部材の中央下面側に溶着されており、中空のプレー台を貫通して表面板と結合されている。ボルトを弛めると、プレー台の半球体凸面部が台座の半球体凹面部に対して摺動しながら揺動旋回自在となり、ボルトを締めるとこれら半球体凸面と半球面凹面の２面が密接に当接して任意所望の傾斜面が設定されるようになっている。この「傾斜可変式ゴルフ練習台」は構造が簡単であり、安価に製造でき、また場所もとらないので一般家庭での使用にも適している。
【０００９】
しかしながら、ボルトは中空プレー台の表面板上面と台座の半球体凹面部の下面間にわたって挿通されているため、このボルトを締め付ければ各部材が互いに引き寄せられる方向に押圧されて中空プレー台の表面板が陥没する虞がある。さらに溶着されたボルト頭部の面積及び中空プレー台の表面板を押圧するワッシャー面積の何れもが小さいため、ボルト締め付けによる陥没がより一層生じやすい。また、このような中空プレー台の表面板にプレーヤーが足を載せて力強くスイングすれば、表面板には更なる押圧力が加わり表面板の陥没する危険性が一層高くなり、一方挿通されるボルトが長尺であるため繰返し使用による金属疲労によって折れやすいなど、耐久性及び使用時の安全性確保の点で問題がある。
【００１０】
この場合陥没という問題を防止するには、プレー台に中空部を設けない、つまりプレー台の中空部を同質部材や異質部材で埋める方法、或いはプレー台の表面板と台座の半球体凹面部の材質を鋼鉄製その他の硬質材とする方法、さらには長尺なボルトを太くするなどが考えられるが、何れも重量が増加し或いは形成材料の増加によるコストアップへとつながるため家庭用、個人用、そして簡単軽量な練習具とはなり得ない。
【００１１】
特開平６−４７１２０号公報記載の「ゴルフショット練習用足載置台」は、あらかじめ斜面角度が固定されているので、任意の斜面を形成することができない。
【００１２】
【発明が解決しようとする課題】
従って、ゴルフ練習場や一般家庭で手軽に使用でき、簡単な構造で、安価に製造でき、且つ安全性や使用効果が高いゴルフ練習具の提供が望まれる。また、ゴルフスイングの練習のみならず、スイング練習前のストレッチ運動にも応用できるものであればさらに便利である。
【００１３】
【課題を解決するための手段】
本発明によって提供されるゴルフ練習具は第１支承球面部を備えた底板と、第２支承球面部を備えた略円形の天板と、第１支承球面部の裏面に配置された球面状の締付部材と、天板と締付部材とを連結する連結部材とを有している。
【００１４】
第１支承球面部は、底板の略中央が略球面凸状に盛り上がった部分であり、この盛り上がった球面の中央には、天板が第２支承球面部を介して底板の第１支承球面部に対して摺動可能となるべく適度の略円形の”切欠部”（あそび）が提供されている。この切欠部内に天板と底板とを連結するボルトなどの連結部材が挿通されて自由に動けるので、第１支承球面部と第２支承球面部とを任意の方向に摺動させることができる。第１支承球面部の球面の凸形状は天板の第２支承球面部の球面凹形状と整合するようになっている。
【００１５】
第２支承球面部は天板の略中央が略球面凹状に形成された部分であり、この第２支承球面部の凹形状とは、前記第１支承球面部の凸形状と互いに重なり合う形状となっている。
【００１６】
締付部材は、第１支承球面部の裏面に配置されており、第１支承球面部に沿って対応する球面状に形成されている。連結部材は、天板と締付部材とを連結するものである。この連結部材を締めると、第１支承球面部と締付部材が当接し、第１支承球面部、第２支承球面部及び締付部材が３重重ねになって相互に締め付けられて密接する。
【００１７】
本発明の「ゴルフ練習具」は、天板及び底板の厚みを薄くすることができ、また、第１支承球面部及び第２支承球面部の球面の湾曲度合いもなだらかに形成することができるので、地面から足載せ台まで相当の高さとなることはなく、安全に練習をすることができる。
【００１８】
本発明の「ゴルフ練習具」は、半球体の上に天板を載せた、単純でコンパクトな構造のものである。したがって、特開平４−１１７９７１号公報のような、構造が複雑で大ががりとはならず、安価に製造することができ、家庭やゴルフ練習場で手軽に使用することができる。
【００１９】
本発明の「ゴルフ練習具」は、部品の締め付けが、第１支承球面部、第２支承球面部及び締付部材という広い面積を持った部材の３重構造によって提供されている。したがって、広い面積で大きな摩擦抵抗力によって、天板の傾斜が極めて強固に固定され、使用時の安全が確保される。ボルトによる締付力は互いの支承球面部に向かう。よって、実開昭５９−１２４５６８号公報のように、締付部材（ボルト）の溶着がプレー台（板）中央位置の極めて狭い面積内になされ、且つそのボルトが中空状態のプレー台を貫通する構造とはなっておらず、プレーヤーが天板に乗っても体重がボルトに集中することがない。このため、天板がプレーヤーの体重の重さで破損したり、ボルトが天板に陥没したり、あるいは途中で折れたりすることもない。
【００２０】
本発明の「ゴルフ練習具」は、底板の第１支承球面部の中央に略円形の切欠部（あそび）が提供されている。この切欠部内を連結部材（ボルト）が貫通し、切欠部内を自由に動く構造であり、連結部材に取り付けられている天板も自由に動いて任意所望の方向及び角度に傾斜する。所望の傾斜角度となった天板は連結部材（ボルト）によって固定される。従って、特開平６−４７１２０号公報のように、あらかじめ傾斜角度が設定されておらず、自由な傾斜が提供される。また、「ねじり傾斜（左右傾斜のつま先上がりやつま先下がりの傾斜）」も簡単につくることができる。
【００２１】
【発明の実施の形態】
以下、本発明にかかる「ストレッチボード兼用ゴルフ練習具」について添付の図を利用して説明する。
【００２２】
図１において示されるように、本発明に係る「ストレッチボード兼用ゴルフ練習具」は、第１支承球面部１を備えた底板３と、第２支承球面部２を備えた略円形の天板４と、天板４と球面状の締付部材５とを連結する連結部材６と、第１支承球面部１の裏面に配置された締付部材５とを有している。連結部材６は、天板４と締付部材５とをつなぐ状態で提供されている。第１支承球面部の中央には略円形の切欠部１０が提供されており、連結部材はこの切欠部１０内部で自由に動く。、本実施例においては、底板３は直径約４０センチメートルの円盤状に形成されており、第１支承球面部１の直径は約１８センチメートル、高さは約３センチメートルである。切欠部１０の直径は約６センチメートルとなっている。略円形の天板４は直径約４０センチメートルであり、第２支承球面部２は、第１支承球面部１に対応して重なる半球形に形成されている。球面状の締付部材５は直径約１２センチメートルの半球形状であって、第１支承球面部１の裏面に配置される。球面状の締付部材５は第１支承球面部１の半円形に重なる形状に形成されている。この天板４及び底板５の素材は本実施例においてはプラスチックが使用されている。連結部材６は全長約３センチメートルのボルトが使用されている。
【００２３】
第１支承球面部１または第２支承球面部２とは摺動可能に当接する。つまり、第１支承球面部１の中央に提供されている切欠部１０内を連結部材６が貫通しており、切欠部１０内を自由に動く。このため、第１支障球面部１と第２支承球面部２とを任意の方向に摺動させることができる。
【００２４】
連結部材６を締め付けると、第１支承球面部１の裏面に配置された締付部材５が第１支承球面部１に当接し、第１支承球面部１、第２支承球面部２そして球面状の締付部材５とが３重に重なり合った連結面部を成した状態で互いに締め付けられて密接し、略円形の天板４が任意の方向に傾斜角度をもって固定されるのである。
【００２５】
本実施例においては、連結部材６は、天板４のほぼ中心に固着され、天板４を貫通し、第１支承球面部１中央の切欠部１０内を通り抜け、球面状の締付部材５と固着される状態に提供されている。この状態で連結部材６を締め付けた場合、締め付けの力は互いの支承球面部に向かってかかり、且つこれらの締め付けが広い面積を有する部材によってなされるので、各部材の摩擦抵抗力によって傾斜角度の固定が極めて強固に提供される。この方法によれば、天板４にプレーヤーが乗った際にも体重がボルト（連結部材６）に集中してかかることはなく、ボルトが折れる虞がない。
【００２６】
図４は、本発明にかかる「ストレッチングボード兼用ゴルフ練習具」の第２実施例を表している。本実施例において、第１支承球面部１’、第２支承球面部２’及び締付部材５’のうち、互いに当接する少なくともひとつの当接面部が凸凹状に形成されている。
【００２７】
本実施例においては、凸部は連続する山状突起Aに、凹部は格子状の溝Bに形成されており、凸部の山状突起Aが凹部の溝Bに填め込まれる。連結部材６’を締め付けると、これらの当接面部の凸凹部が互いに嵌合係止するようになっている。
【００２８】
山状突起Aを第２支承球面部２’に、格子状の溝Ｂを第１支承球面部１’に設けて第１支承球面部１’及び第２支承球面部２’の組を互いに嵌合係止（かみ合う）させることもできる。一方、締付部材５’に山状突起Ａを設け、第１支承球面部１’の裏面に格子状の溝Ｂを設けて第１支承球面部１’及び締付部材５’の組を互いに嵌合係止させることもできる。このように、部材の嵌合係止はいずれか１組の組み合わせのみであってもよく、或いは２組の組み合わせとすることもできる。
【００２９】
これら当接面部が凸凹状に形成されていることにより、各部材の係止がさらに強固になされる。天板の傾斜角度が一層強固に固定されて、使用時の安全性が確保される。
【００３０】
図６は、本発明にかかる「ストレッチングボード兼用ゴルフ練習具」の第３実施例を図示している。本実施例においては、第１支承球面部１”、第２支承球面部２”及び締付部材５”のうち、互いに当接するひとつの当接面部の一方に突起体Cが設けられ、他方に嵌合孔Dが設けられている。つまり、第１支承球面部１”の表面に複数の突起体C が、第２支承球面部２”の表面に複数の嵌合孔Dが設けられており、連結部材６”が締め付けられると、これら突起体Cと嵌合孔Dとは嵌合係止する。これら当接面部が嵌合係止することにより、各部材の係止がさらに強固になされて、天板の傾斜角度がさらに強固に固定されて、使用時の安全性が確保される。
【００３１】
突起体Ｃと嵌合孔Ｄの嵌合係止は、前述の山状突起Aと格子状の溝Ｂの如く、部材の嵌合係止はいずれか１組の組み合わせのみであってもよく、或いは２組の組み合わせとすることもできる。
【００３２】
図７及び図８は、本発明にかかる「ストレッチングボード兼用ゴルフ練習具」の第４実施例を図示している。本実施例において、第１支承球面部１、第２支承球面部２及び締付部材５の３重構造によって成される連結面部が、略円形の天板４の中心軸外に設けられている。図７及び図８にて示されるように、連結面部を天板４の中心軸外に設けることで天板４の中心に連結面部を設けたときよりも、さらに多様な傾斜角度を形成することができる。図７に図示された本発明の第４実施例にかかる「ゴルフ練習具」は、その連結面部が天板４の中心からやや右寄りに外れた位置に置かれている。この場合、図示のごとく、天板４を左に傾斜させた状態で固定すれば比較的浅い角度の傾斜を作ることができる。反対に図８に示されるように、やや急な傾斜を作りたいときは右に傾斜させるのである。このように、連結面部を天板４の中心からずらして設けることで、様々な場面を想定した傾斜角度を容易に作ることができる。
【００３３】
なお、本発明は上記の実施の形態に限られるものではない。
【００３４】
底板の形状は実施例に記載の円盤状に限られず、四角形や楕円形などその他本発明の実施が可能である形状であればよい。第１支承球面部及び第２支承球面部の半球形の大きさ、締付部材の大きさ及び形状、切欠部の大きさは実施例に記載されたものに限られず、本発明の目的を達成できる形状、大きさであればよい。連結部材も実施例のボルトに限られず、その他連結機能を発揮することができるあらゆる部材の適用が考えられる。本発明においては連結部材自体に強い圧力がかからないため、連結部材を金属とせずとも、例えば、プラスチックや木等の「ゴルフ練習具」本体と同じ素材で形成することもできる。本発明にかかる「ゴルフ練習具」の素材も実施例において示されるプラスチックに限定されない。また、天板の表面に人工芝、ゴム、布などの素材を張り付けて滑り止め効果を持たせたり、実際の芝生に近い状態で練習させることもできる。底板の裏面に滑り止めを設けて一層安全性を高めることもできる。
【００３５】
【発明の効果】
請求項１に記載の「ストレッチングボード兼用ゴルフ練習具」は、第１支承球面部を備えた底板と、第２支承球面部を備えた略円形の天板と、第１支承球面部の裏面に配置された球面状の締付部材と、天板と締付部材とを連結する連結部材と、を有したゴルフ練習具であって、第１支承球面部と第２支承球面部とは摺動可能に当接するとともに、連結部材を締め付けたときに、締付部材が第１支承球面部に当接することにより、第１支承球面部と第２支承球面部と締付部材とが３重重ね状に密着し、天板が任意の方向に傾斜角度をもって固定される、ことを特徴としている。よって、連結部材を締め付けた場合、締め付けの力は互いの支承球面部に向かってかかり、且つこれらの締め付けが広い面積を有する部材の３重重ねによってなされるので、各部材の大きな摩擦抵抗力によって傾斜角度の固定を極めて強固に行うことができる。
【００３６】
一方、ボルト等の連結部材は天板と台座間にわたって挿通されておらず、第１支承球面部と第２支承球面部と締付部材の各部材間でのみ締め付けが行われ、これらの部材間には第１支承球面部に設けられた空間部（切欠部）のみが形成されていることから、ボルト等の連結部材の長さは極めて短くて済み、またボルト締め付けによる陥没が生じにくく、特には連結部材を締め付けても天板の上面が底板に引き寄せられて陥没するといった不都合が生じない。よってプレーヤーが足を載せて力強くスイングしても天板が陥没する或いはボルト等の連結部材が破損するといった危険性が減少する。そして材質を鋼鉄等の硬質材とすること無く耐久性を向上せしめ、重量及びコストを軽減させることができ、家庭用、個人用、そして簡単軽量な練習具を提供することができる。
【００３７】
請求項２に記載の「ストレッチングボード兼用ゴルフ練習具」は、第１支承球面部、第２支承球面部及び締付部材のうち、互いに当接する少なくともひとつの当接面部が、連続する山状突起と格子状の溝の組み合わせの様な凸凹状に形成されており、連結部材を締め付けた際に、これら両当接面部が互いに嵌合係止することを特徴としている。当接面部が凸凹形成されているので両当接面部が互いに嵌合状態で係止される。よって各部材の係止がさらに強固に提供されることとなり、天板の傾斜角度がさらに強固に固定され、使用時の安全を確保することができる。
【００３８】
請求項３に記載の「ストレッチングボード兼用ゴルフ練習具」は、第１支承球面部、第２支承球面部及び締付部材のうち、当接面部の一方に複数の突起体が設けられ、他方にこれらの突起体を受ける複数の嵌合孔が設けられており、連結部材を締め付けた際に、突起体と嵌合孔とが嵌合係止することを特徴としている。突起体が嵌合孔に嵌合されて係止することにより、各部材の係止がさらに強固になされる。したがって、天板の傾斜角度がさらに強固に固定され、使用時の安全を確保することができる。
【００３９】
請求項４に記載の「ストレッチングボード兼用ゴルフ練習具」は、連結面部が、略円形の天板の中心軸外に設けられていることを特徴としている。よって、天板の中心に連結面部を設けたときよりも、一層多様な傾斜角度を形成することができ、様々な場面を想定した練習をすることができる。
【００４０】
また、本発明は、天板の上に両足を載せて、「ストレッチングボード」として活用することもできる。天板はあらゆる方向、角度に固定することができるので、様々な形態でのストレッチング運動ができる。
【００４１】
本発明は、基本的には片足を載せて使用するものであるが、両足を載せて練習することもできる。また、２つを使用して、それぞれに片足ずつを載せて使用すれば更に効果が上がる。
【図面の簡単な説明】
【図１】本発明にかかる「ストレッチングボード兼用ゴルフ練習具」（第１実施例）の断面図である。
【図２】本発明にかかる「ストレッチングボード兼用ゴルフ練習具」（第１実施例）の斜視図である。
【図３】本発明にかかる「ストレッチングボード兼用ゴルフ練習具」（第１実施例）の上面図である。
【図４】本発明にかかる「ストレッチングボード兼用ゴルフ練習具」（第２実施例）の断面図である。
【図５】本発明にかかる「ストレッチングボード兼用ゴルフ練習具」（第２実施例）の斜視図である。
【図６】本発明にかかる「ストレッチングボード兼用ゴルフ練習具」（第３実施例）の断面図である。
【図７】本発明にかかる「ストレッチングボード兼用ゴルフ練習具」（第４実施例）の斜視図である。
【図８】本発明にかかる「ストレッチングボード兼用ゴルフ練習具」（第４実施例）の斜視図である。
【符号の説明】
１  第１支承球面部
２  第２支承球面部
３  底板
４  略円形の天板
５  球面状の締付部材
６  連結部材
１０  切欠部（あそび）
１’  第１支承球面部
２’  第２支承球面部
５’  球面状の締付部材
６’  連結部材
A   山状突起
B   格子状の溝
１”  第１支承球面部
２”  第２支承球面部
５”  球面状の締付部材
６”  連結部材
Ｃ    突起体
Ｄ    嵌合孔
【図１】
0003682643.tif 000002
【図２】
0003682643.tif 000003
【図３】
0003682643.tif 000004
【図４】
0003682643.tif 000005
【図５】
0003682643.tif 000006
【図６】
0003682643.tif 000007
【図７】
0003682643.tif 000008
【図８】
0003682643.tif 000009